(57)【特許請求の範囲】
【請求項１】
カメラの三脚座に隣接し、該三脚座を囲む位置に配置される第１のバッテリー群と、
前記カメラの三脚座を避けた位置で、前記第１のバッテリー群に隣接して配置される第２バッテリー群とを保持するバッテリー保持装置を具備するカメラにおいて、
前記バッテリー保持装置は、前記カメラの側面より前記カメラ内に挿入され、
前記第１のバッテリー群は、前記カメラへの挿入先端部にあり、
前記第２のバッテリー群は、前記カメラへの挿入終端部に配置され、
前記第１のバッテリー群のセル数よりも、前記第２のバッテリー群のセル数が多いことを特徴とするカメラ。
【請求項２】
前記第１のバッテリー群は、前記第２のバッテリー群よりも前記カメラのグリップ部側に配置されることを特徴とする請求項１に記載のカメラ。
【請求項３】
内部に複数の電池セルを保持し、カメラの側面より前記カメラ内に挿入されるバッテリー保持装置であって、
前記バッテリー保持装置は、前記カメラへの挿入先端部の電池セルを保持する部分の外形が前記カメラの三脚座を避けた形状であって、前記カメラへの挿入先端部の電池セルを保持する部分の外形よりも、前記カメラへの挿入終端部の電池セルを保持する部分の外形のほうが、前記挿入方向に垂直方向の断面積が大きいことを特徴とするバッテリー保持装置。
【発明の詳細な説明】
【０００１】
【発明の属する技術分野】
本発明は、バッテリーの交換可能なカメラおよびバッテリー保持装置に関するものである。
【０００２】
【従来の技術】
最近のカメラでは、フィルムの巻上げ巻戻しの為の給送駆動、オートフォーカスのためのレンズ駆動、シャッタのチャージの為の駆動等の自動化が進み、エネルギー源として多くのバッテリーが必要とされている。
【０００３】
各使用者のバッテリー入手の利便性を向上させるため、複数種類のバッテリー（例えば単３電池とＮｉ−ＭＨ蓄電池）を使用可能になっている。単３電池の電圧は約１．５ボルトであり、８本直列につなぐと１２ボルトとなる。Ｎｉ−ＭＨ蓄電池の１セルの電圧は約１．２ボルトであり、１０本で１２ボルトとなり、両者でほぼ同じ電圧となる。
【０００４】
バッテリー交換を容易にするためや、カメラのホールディング性を向上させるために、カメラ部品の中では重量の重いバッテリーをボディ底面に配置し、バッテリーブロックをスライドさせて挿入や取出しをするバッテリーの配置が実現されている。
【０００５】
【発明が解決しようとする課題】
しかしながら、単３電池とＮｉ−ＭＨ蓄電池を共用できるようにするには、ほぼ同じ大きさの単３電池とＮｉ−ＭＨ蓄電池セルを、同ースペース内に単３電池なら８本、Ｎｉ−ＭＨ蓄電池セルなら１０本を配置しなければならない。
【０００６】
また、多くのカメラではボディ底面に、カメラ本体を三脚に固定するための三脚座がある。この三脚座は、カメラ本体を三脚に固定した時にカメラのバランスを悪くさせないように、ボディ底面の端部には設けられず、概略ボディ中央部に設けるため、ボディ底面部にスライドさせてバッテリーを挿入する場合には、三脚座のある部分には電池を配置できない。
【０００７】
これらのことから、４本ずつ２群に配置された単３電池スペースに、５本ずつ２群にしたＮｉ−ＭＨ蓄電池セルを配置できない。逆に、５本ずつ２群にＮｉ−ＭＨ蓄電池セルを配置したスペースに、４本ずつ２群に配置された単３電池を配置すると、カメラが大きくなってしまうという問題があった。
【０００８】
本発明は、バッテリー保持装置のために使えるスペースを有効に利用することを目的とする。
【０００９】
【課題を解決するための手段】
本発明を適用したカメラは、前記カメラの三脚座に隣接し、該三脚座を囲む位置に配置される第１のバッテリー群と、前記カメラの三脚座を避けた位置で、前記第１のバッテリー群に隣接して配置される第２バッテリー群とを保持するバッテリー保持装置を具備し、前記バッテリー保持装置は、前記カメラの側面より前記カメラ内に挿入され、前記第１のバッテリー群は、前記カメラへの挿入先端部にあり、前記第２のバッテリー群は、前記カメラへの挿入終端部に配置され、前記第１のバッテリー群のセル数よりも、前記第２のバッテリー群のセル数を多くする。
本発明を適用したバッテリー保持装置は、内部に複数の電池セルを保持し、カメラの側面より前記カメラ内に挿入され、前記カメラへの挿入先端部の電池セルを保持する部分の外形が前記カメラの三脚座を避けた形状であって、前記カメラへの挿入先端部の電池セルを保持する部分の外形よりも、前記カメラへの挿入終端部の電池セルを保持する部分の外形のほうが、前記挿入方向に垂直方向の断面積が大きい。
【００１０】
【発明の実施の形態】
以下、本発明の実施の形態を図面に基づいて説明する。
【００１１】
図１は、本発明によるカメラおよびバッテリー保持装置の一実施例を示す正面図である。図１は、カメラを正面から見た状態であり、図１の左側がグリップ側となる。
【００１２】
図１において、セル群２は、カメラ１のグリップの反対側（図１の右側）からＸ方向にスライドされて、カメラ１に挿入される。セル群２は、スライドさせる先端方向のセル群２ａと、スライドさせる終端方向のセル群２ｂとに分かれている。三脚座３は、スライドさせる先端方向のセル群２ａのスペースに配置されている。
【００１３】
図２および図３は、各々、本発明のカメラに単３電池８本、Ｎｉ−ＭＨ蓄電池１０本を装着したときの電池の配置を示す断面図である。図２（ａ）および図３（ａ）は、図１におけるＡ線断面図である。図２（ｂ）および図３（ｂ）は、図１におけるＢ線断面図である。
【００１４】
電池４は、三脚座３を避けてＡ線断面で４本、Ｂ線断面で４本の計８本が配置されている。電池４は、ホルダー１０（図２）によって固定され、一度に電池を交換できるように構成されている。なお、図２（ａ）の電池４の４本がスライドさせる先端方向のセル群２ａ（図１）に相当し、図２（ｂ）の電池４の４本がスライドさせる終端方向のセル群２ｂ（図１）に相当する。
【００１５】
ホルダー１０は、ポリプロピレン等のバネ性を持った材質で構成され、電池４を押さえている。ホルダー１０および２０を装着するときは、カメラ１のグリップの反対側（図１の右側）のカメラ１の側面からスライドさせる。
【００１６】
ボディ１には、部分的に膨らんだ突出部１ｂ（図２（ｂ）参照）が設けられているので、カメラ１を縦位置に構えたときに突出部１ｂがグリップとなり握りやすくなる。平坦部１ａ（図２（ａ）参照）は、カメラ１を横位置（通常の構え）に構えたときに、グリップを持った指の先端が平坦部１ａに当たらなくなり、グリップが握りやすくなる。
【００１７】
図３は、本発明のカメラにＮｉ−ＭＨ蓄電池を１０本装着したときの蓄電池のセルの配置を示す断面図である。図３（ａ）は、図１におけるＡ線断面図であり、図３（ｂ）は図１におけるＢ線断面図である。図３（ａ）のセル５の４本がスライドさせる先端方向のセル群２ａ（図１）に相当し、図３（ｂ）のセル５の６本がスライドさせる終端方向のセル群２ｂ（図１）に相当する。
【００１８】
単３電池の電圧は約１．５ボルトであり、８本直列につなぐと１２ボルトになる。Ｎｉ−ＭＨ蓄電池の１セルの電圧は約１．２ボルトであり、１０本で１２ボルトとなり、本実施例の様に構成するとほぼ同じ電圧となる。
【００１９】
蓄電池を挿入するときは、グリップの反対側のカメラ１の側面からスライドさせる為、図３（ａ）には、三脚座３を避けて４つのセル５が配置されている。図３（ｂ）では、三脚座３を避ける必要がないため、その部分に蓄電池のセル５ａを置くことが可能となっている。また単３電池が一つ一つをホルダー１０に填め込まなければならないのに対し、蓄電池は全てのセルをポリカーボネイト等の部材で保持すれば良いので、セルとセルの間隔をせまくすることができる。その為、上列にはセル５ｂからセル５ｄの３つのセルを配置することができる。
【００２０】
以上のように本実施例によれば、スライドさせる先端部分の電池のセルに対して、終端部分のセルの本数が多い配置であるから、少ないスペースに多くの電池を配置するすることができ、カメラの小型化につながるという効果が得られる。
【００２１】
なお、上述した実施例では、取外し可能なホルダー１０および２０の存在を前提にして説明したが、カメラボディに電池を収納するスペースを設ける場合にも、本発明を適用することができる。
【００２２】
【発明の効果】
以上のように、本発明のカメラおよびバッテリー保持装置によれば、バッテリー保持装置のために使えるスペースを有効に利用することができる。そのため、本発明のバッテリ保持装置を具備するカメラを小型化できる。
【図面の簡単な説明】
【図１】本発明によるカメラおよびバッテリー保持装置の一実施例を示す正面図である。
【図２】本発明によるカメラおよびバッテリー保持装置の一実施例を示す断面図である。
【図３】本発明によるカメラおよびバッテリー保持装置の一実施例を示す断面図である。
【符号の説明】
１  カメラ
２  セル群
３  三脚座
４  単３電池
５  Ｎｉ−ＭＨ蓄電池
１０  ホルダー
２０  ホルダー
【図１】
0003811987.tif 000002
【図２】
0003811987.tif 000003
【図３】
0003811987.tif 000004